(57)【要約】      （修正有）【課題】額縁サイズを拡大することなく、楕円形、オーバル形等の異形形状とすることが可能な表示装置を提供する。【解決手段】アクティブマトリクス型の表示装置１０は、非矩形状の表示部ＡＣＴと、表示部にマトリックス状に配列された複数の表示画素ＰＸと、表示画素の行毎に接続された複数のゲート線ＧＡと、表示画素の列毎に接続された複数の信号線ＳＡ，ＳＢと、ゲート線駆動回路ＧＤ１、ＧＤ２と、信号線駆動回路ＳＤ１、ＳＤ２と、表示部ＡＣＴの外側で、表示部ＡＣＴの側縁の一部に沿って延在する複数のバス配線２２と、を備えている。信号線駆動回路ＳＤ１、ＳＤ２に接続される信号線の少なくとも一部は、表示部のバス配線２２と反対側の側縁から表示部ＡＣＴを通ってバス配線２２まで延びてバス配線２２に接続され、更に、バス配線２２から表示部ＡＣＴを通って反対側の側縁まで延びている。【選択図】図１
2016148775.tif 000002
【特許請求の範囲】
【請求項１】
外縁の少なくとも一部が湾曲あるいは屈曲した非矩形状の表示部と、
前記表示部にマトリックス状に配列された複数の表示画素と、
前記表示画素の行毎に接続された複数のゲート線と、
前記表示画素の列毎に接続された複数の信号線と、
前記ゲート線を駆動するゲート線駆動回路と、
前記信号線に映像信号を供給する信号線駆動回路と、
前記表示部の外側で、前記表示部の側縁の一部に沿って延在する複数のバス配線と、を備え、
前記信号線駆動回路に接続される前記信号線の少なくとも一部は、前記表示部の前記バス配線と反対側の側縁から前記表示部を通って前記バス配線まで延びて前記バス配線に接続され、更に、前記バス配線から前記表示部を通って前記反対側の側縁まで延びている
アクティブマトリクス型の表示装置。
【請求項２】
前記複数の信号線は、一端が前記信号線駆動回路に接続され、他端が前記バス配線の一端に接続された複数の第１信号線と、前記バス配線の他端に接続された一端を有し、前記バス配線から前記表示部を通って前記反対側の側縁まで延びる複数の第２信号線と、を含んでいる請求項１に記載のアクティブマトリクス型の表示装置。
【請求項３】
前記複数のゲート線は、各行の前記表示画素に沿って延び前記第１信号線に接続される表示画素に制御信号を供給する複数の第１ゲート線と、各行の前記表示画素に沿って延び前記第２信号線に接続される表示画素に制御信号を供給する複数の第２ゲート線と、を含んでいる請求項２に記載のアクティブマトリクス型の表示装置。
【請求項４】
前記複数の信号線は、一端が前記信号線駆動回路に接続され、前記表示部を通って前記信号線駆動回路と反対側の側縁まで延びる複数の第１信号線と、一端が前記信号線駆動回路に接続され、前記第１信号線と並列して前記バス配線まで延びた後、前記バス配線から前記表示部を通って前記バス配線と反対側の側縁まで延びる複数の第２信号線と、を含んでいる請求項１に記載のアクティブマトリクス型の表示装置。
【請求項５】
前記ゲート線駆動回路は、前記表示部の外側で、前記バス配線と重複しない領域に配置されている請求項１ないし４のいずれか１項に記載のアクティブマトリクス型の表示装置。
【請求項６】
前記表示部は、湾曲した第１側縁を有し、前記バス配線は、前記第１側縁の一部に沿って設けられている請求項１に記載のアクティブマトリクス型の表示装置。
【請求項７】
前記ゲート線駆動回路は、前記第１側縁の一部と異なる他の部分に沿って配置されている請求項６に記載のアクティブマトリクス型の表示装置。
【請求項８】
前記表示部は、前記第１側縁で規定される円弧状領域と、この円弧状領域に連続する通常表示領域と、を有し、前記複数の信号線は、前記通常表示領域に設けられ前記信号線駆動回路に接続される複数の第１信号線と、前記バス配線に接続され前記円弧状領域に設けられた複数の第２信号線と、を含み、前記第１信号線の内、前記円弧状領域の近傍に位置する複数の第１信号線は、前記バス配線に接続されている請求項６又は７に記載のアクティブマトリクス型の表示装置。
【請求項９】
前記表示部は、前記第１側縁で規定される円弧状領域と、この円弧状領域に連続する通常表示領域と、を有し、前記複数の信号線は、前記通常表示領域に設けられ前記信号線駆動回路に接続される複数の第１信号線と、一端が前記信号線駆動回路に接続され、前記通常表示領域を通って前記バス配線まで延びた後、前記バス配線から前記円弧状領域を通って前記バス配線と反対側の側縁まで延びる複数の第２信号線と、を含んでいる請求項６又は７に記載のアクティブマトリクス型の表示装置。
【請求項１０】
前記表示部は、楕円形状、オーバル形状、長円形状、あるいは円形状を有する請求項１ないし９のいずれか１項に記載のアクティブマトリクス型の表示装置。
【発明の詳細な説明】
【技術分野】
【０００１】
実施形態は、アクティブマトリクス型の表示装置に関する。
【背景技術】
【０００２】
近年、スマートフォンやタブレット端末等のモバイル機器が急速に普及している。これらのモバイル機器に採用される表示ディスプレイのサイズや解像度は、急激に増加している。この動きに連動し、モバイル機器に占める表示画面の面積の割合も拡大の一途をたどっている。その結果、表示ディスプレイ自体の形状がモバイル機器の形状を決める大きな要素となりつつある。
【０００３】
しかしながら、アクティブマトリクスの内蔵駆動回路や各種配線群の配置のし易さ等の理由から、表示ディスプレイの形状は、ほとんど四角形が占めている。従って、モバイル機器セットの外形形状も、同様にほぼ四角形となる状況が続いている。  
この傾向は、特に、モバイル機器内でディスプレイによる表示面積の占める割合が増加するほど、顕著となっている。その結果、モバイル機器は、非常に似通った筐体デザインを採用せざるを得ない状況が続いている。
【先行技術文献】
【特許文献】
【０００４】
【特許文献１】特許第５１９１２８６号公報
【発明の概要】
【発明が解決しようとする課題】
【０００５】
上記のような状況を打破すべく、表示部の形状自体を丸型や楕円形等の異形にする表示装置も検討されている。しかし、この場合、画面駆動用の駆動回路や、ＣＯＧ実装部から延出する多数の配線等を、それぞれが互いに干渉する事なくコンパクトに配置することが大変に難しい。そのため、表示部以外の額縁領域のサイズ、面積が拡大し、結果的に、モバイル機器の表示画面の割合が逆に低下してしまう等の問題がある。
【０００６】
この発明の実施形態の課題は、額縁サイズを拡大することなく、楕円形、オーバル形等の異形形状とすることが可能な表示装置を提供することにある。
【課題を解決するための手段】
【０００７】
実施形態に係るアクティブマトリクス型の表示装置は、外縁の少なくとも一部が湾曲あるいは屈曲した非矩形状の表示部と、前記表示部にマトリックス状に配列された複数の表示画素と、前記表示画素の行毎に接続された複数のゲート線と、前記表示画素の列毎に接続された複数の信号線と、前記ゲート線を駆動するゲート線駆動回路と、前記信号線に映像信号を供給する信号線駆動回路と、前記表示部の外側で、前記表示部の側縁の一部に沿って延在する複数のバス配線と、を備え、前記信号線駆動回路に接続される前記信号線の少なくとも一部は、前記表示部の前記バス配線と反対側の側縁から前記表示部を通って前記バス配線まで延びて前記バス配線に接続され、更に、前記バス配線から前記表示部を通って前記反対側の側縁まで延びている。
【図面の簡単な説明】
【０００８】
【図１】図１は、第１の実施形態に係る表示装置の一構成例を概略的に示す平面図。
【図２】図２は、図１に示した表示装置の画素部を拡大して概略的に示す平面図。
【図３】図３は、前記表示装置のゲート信号を示すタイミングチャート。
【図４】図４は、第２の実施形態に係る表示装置の一構成例を概略的に示す平面図。
【図５】図５は、図４に示した表示装置の画素部を拡大して概略的に示す平面図。
【図６】図６は、第２の実施形態に係る表示装置のゲート信号を示すタイミングチャート。
【発明を実施するための形態】
【０００９】
以下、図面を参照しながら、実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
（第１の実施形態）  
図１は、第１の実施形態に係るアクティブマトリクス型の表示装置の一構成例を概略的に示す平面図である。ここでは、アレイ基板を有する表示装置として、液晶表示装置を例に説明する。液晶表示装置１０は、例えばスマートフォン、タブレット端末、携帯電話機、ノートブックタイプＰＣ、携帯型ゲーム機、電子辞書、或いはテレビ装置などの各種の電子機器に組み込んで使用することができる。
【００１１】
図１に示すように、液晶表示装置１０は、ガラス基板等の光透過性を有する絶縁基板１２と、絶縁基板１２上に設けられ、画像を表示する表示部（表示領域、アクティブエリア）ＡＣＴと、表示部ＡＣＴを駆動する駆動回路ＧＤ１、ＧＤ２、ＳＤ１、ＳＤ２と、を備えている。表示部ＡＣＴは、マトリクス状に配置された多数の表示画素ＰＸを備えている。駆動回路ＧＤ１、ＧＤ２、ＳＤ１、ＳＤ２は、表示部ＡＣＴの外側に設けられた図示しないコントローラに接続されている。
【００１２】
表示部ＡＣＴは、外縁の少なくとも一部に曲線あるいは屈曲線を含む非矩形状、例えば、楕円形、オーバル形、あるいは円形等の形状に形成されている。本実施形態において、表示部ＡＣＴは、対向する上下の直線状側縁１１ａ、１１ｂと、対向する左右の円弧状の側縁１１ｃ、１１ｄと、を有するオーバル形に形成されている。絶縁基板１２は、表示部ＡＣＴとほぼ相似で表示部ＡＣＴよりも大きなオーバル形に形成されている。これにより、絶縁基板１２は、表示部ＡＣＴの外周に位置する環状の額縁領域１４を有している。
【００１３】
表示部ＡＣＴは、一方の円弧状側縁、例えば、左側の円弧状側縁１１ｃで囲まれる円弧状領域（第２領域）ＡＲと、残りの通常表示領域（中央の矩形状領域および右側の円弧状側縁１１ｄで囲まれた円弧状領域）（第１領域）ＮＲと、を有する。
【００１４】
一対の信号線駆動回路ＳＤ１、ＳＤ２は、絶縁基板１２の額縁領域１４に形成され、表示部ＡＣＴの直線状側縁１１ａに隣接対向している。一対のゲート線駆動回路ＧＤ１、ＧＤ２は、絶縁基板１２の額縁領域１４に形成されている。一方のゲート線駆動回路ＧＤ１は、左側の円弧状側縁１１ｃの下側半分に隣接対向して設けられ、この円弧状側縁１１ｃに沿って円弧状に形成されている。他方のゲート線駆動回路ＧＤ２は、右側の円弧状側縁１１ｃの上半分に隣接対向して設けられ、この円弧状側縁１１ｄに沿って円弧状に形成されている。このように、一対のゲート線駆動回路ＧＤ１、ＧＤ２は、表示部ＡＣＴの対角方向に対向する２つの位置に分けて設けられている。
【００１５】
表示部ＡＣＴには、それぞれ第１方向Ｘ（水平方向）に延びる複数本の第１ゲート線ＧＡ（ＧＡ１〜ＧＡｎ）および複数本の第２ゲート線ＧＢ（ＧＢ１〜ＧＢｎ）、並びに、第１方向と直交する第２方向Ｙにそれぞれ延びる複数本の第１信号線ＳＡおよび複数本の第２信号線ＳＢが形成されている。その他、表示部ＡＣＴには、図示しない、容量線、電源配線等が設けられる。
【００１６】
各行の表示画素ＰＸに対して、第１ゲート線ＧＡおよび第２ゲート線ＧＢの２本のゲート線が設けられている。表示部ＡＣＴの下半部に位置する第１および第２ゲート線ＧＡ、ＧＢは、一方のゲート線駆動回路ＧＤ１から延出し、表示部ＡＣＴを通って、右側の円弧状側縁１１ｄまで延びている。表示部ＡＣＴの上半部に位置する第１および第２ゲート線ＧＡ、ＧＢは、他方のゲート線駆動回路ＧＤ２から延出し、表示部ＡＣＴを通って、左側の円弧状側縁１１ｃで延びている。
【００１７】
表示部ＡＣＴの通常表示領域ＮＲには、複数本の第１信号線ＳＡが設けられ、それぞれ各列の表示画素ＰＸに沿って延びている。円弧状領域ＡＲには、複数本の第２信号線ＳＢが設けられ、それぞれ各列の表示画素ＰＸに沿って延びている。  
通常表示領域ＮＲの中央矩形状領域に設けられた複数本の第１信号線ＳＡは、それぞれ直線状の配線２０を介して信号線駆動回路ＳＤ１、ＳＤ２に接続され、下側の直線状側縁１１ａから上側の直線状側縁１１ｂまで延びている。通常表示領域ＮＲの内、右側の円弧状側縁１１ｄで囲まれた円弧状領域に設けられた複数本の第１信号線ＳＡは、斜めあるいは円弧状の配線２１を介して、信号線駆動回路ＳＤ２に接続されている。これら円弧状の配線２１は、額縁領域１４において、右側の円弧状側縁１１ｄの下半分と対向する位置に形成されている。すなわち、円弧状の配線２１群は、ゲート線駆動回路ＧＤ２および信号線駆動回路ＳＤ２と干渉しない位置に設けられている。そして、第１信号線ＳＡは、円弧状の側縁１１ｄの下半分から上半分の位置まで延びている。
【００１８】
額縁領域１４において、左側の円弧状側縁１１ｃの上半分と対向する位置に複数のバス配線２２が形成され、それぞれ円弧状側縁１１ｃに沿って円弧状に延びている。すなわち、バス配線２２は、ゲート線駆動回路ＧＤ１および信号線駆動回路ＳＤ１と干渉しない位置に設けられている。また、バス配線２２は、円弧状の配線２１に対して、表示部ＡＣＴの対角方向に対向して設けられている。
【００１９】
通常表示領域ＮＲの内、円弧状領域ＡＲに隣接する領域に設けられた複数本の第１信号線ＳＡは、上側の直線状側縁１１ｂを越えて延出し、それぞれバス配線２２の一端に接続されている。各バス配線２２の他端は、第２信号線ＳＢに接続されている。そして、複数本の第２信号線ＳＢは、バス配線２２から円弧状領域ＡＲを通り、円弧状側縁１１ｃの下半分の位置まで延びている。  
このように、複数の第２信号線ＳＢは、バス配線２２を介して、第１信号線ＳＡに電気的に導通している。第１信号線、バス配線、第２信号線は、共通の信号線により一体的に構成してもよい。すなわち、複数の信号線は、表示部ＡＣＴを通り、一旦、額縁領域１４に出た後、折り返され、再び、表示部ＡＣＴ内を通って延びる。
【００２０】
図２は、表示画素ＰＸを拡大して概略的に示す図である。通常表示領域ＮＲ内に位置する複数の表示画素ＰＸの各々は、液晶容量ＣＬＣ、薄膜トランジスタ（ＴＦＴ）ＴＲ、液晶容量ＣＬＣと並列の図示しない蓄積容量などを備えている。液晶容量ＣＬＣは、薄膜トランジスタＴＲに接続された画素電極ＰＥと、コモン電位の給電部と電気的に接続された共通電極ＣＥと、画素電極ＰＥと共通電極ＣＥとの間に介在する液晶層とを備えている。薄膜トランジスタＴＲは、第１ゲート線ＧＡ及び第１信号線ＳＡに電気的に接続されている。
【００２１】
第１ゲート線ＧＡには、ゲート線駆動回路ＧＤ１、ＧＤ２から、薄膜トランジスタＴＲをオンオフ制御するための制御信号が供給される。第１信号線ＳＡには、信号線駆動回路ＳＤ１、ＳＤ２から、映像信号が供給される。薄膜トランジスタＴＲは、第１ゲート線ＧＡに供給された制御信号に基づいてオンした際、第１信号線ＳＡに供給された映像信号に応じた画素電位を画素電極ＰＥに書き込む。コモン電位の共通電極ＣＥと画素電位の画素電極ＰＥとの間の電位差により、液晶層に印加される電圧が制御される。
【００２２】
図２に示すように、円弧状領域ＡＲ内に位置する複数の表示画素ＰＸの各々は、液晶容量ＣＬＣ、薄膜トランジスタ（ＴＦＴ）ＴＲ、液晶容量ＣＬＣと並列の図示しない蓄積容量などを備えている。液晶容量ＣＬＣは、薄膜トランジスタＴＲに接続された画素電極ＰＥと、コモン電位の給電部と電気的に接続された共通電極ＣＥと、画素電極ＰＥと共通電極ＣＥとの間に介在する液晶層とを備えている。薄膜トランジスタＴＲは、第２ゲート線ＧＢ及び第２信号線ＳＢに電気的に接続されている。
【００２３】
第２ゲート線ＧＢには、ゲート線駆動回路ＧＤ１、ＧＤ２から、薄膜トランジスタＴＲをオンオフ制御するための制御信号が供給される。第２信号線ＳＢには、信号線駆動回路ＳＤ１から、第１信号線ＳＡおよびバス配線２２を通して、映像信号が供給される。薄膜トランジスタＴＲは、第２ゲート線ＧＢに供給された制御信号に基づいてオンした際、第２信号線ＳＢに供給された映像信号に応じた画素電位を画素電極ＰＥに書き込む。コモン電位の共通電極ＣＥと画素電位の画素電極ＰＥとの間の電位差により、液晶層に印加される電圧が制御される。
【００２４】
上記のように構成された液晶表示装置１０では、水平期間Ｈを２分割し、前半で通常表示領域ＮＲの表示画素ＰＸに映像信号を書き込み、後半で円弧状領域ＡＲの表示画素ＰＸ映像信号を書き込む。すなわち、図３に示すように、ゲート線駆動回路ＧＤ１、ＧＤ２は、水平期間１Ｈの前半に第１ゲート線ＧＡにオン信号を出力し、水平期間１Ｈの後半に第２ゲート線ＧＢにオン信号を出力する。  
なお、信号線駆動回路ＳＤ１、ＳＤ２は、通常の表示装置と同様に、第１および第２ゲート線ＧＡ、ＧＢのオンタイミングに合わせて、第１信号線ＳＡおよび第２信号線ＳＢを順次駆動し、映像信号を出力する。
【００２５】
以上のように構成された液晶表示装置１０によれば、一部の信号線は、表示部ＡＣＴを通った後、配線入力部の反対側の側縁に沿って設けられたバス配線２２を介して折り返し、再度、表示部ＡＣＴの円弧状領域ＡＲに入れ直すように構成されている。本構成を取ることにより、ゲート線駆動回路、信号線駆動回路を、バス配線群と干渉しない位置にレイアウトすることが可能となる。例えば、ゲート線駆動回路ＧＤ１、ＧＤ２は、バス配線２２群および円弧状の配線２１群と干渉しない位置に分散して配置されている。このように、配線群と駆動回路との干渉をなくすことにより、表示装置１０の額縁領域１４を拡大することなく、楕円形、オーバル形などの非矩形状、異形形状の表示部および表示装置を得ることができる。
【００２６】
表示部ＡＣＴおよび絶縁基板の形状は、上述したオーバル形状に限定されることなく、楕円形、長円形、円形、半楕円形状、ひょうたん形状、あるいは、側縁の少なくとも一部が湾曲あるいは屈曲している形状であれば、種々の非矩形状を適用することができる。また、第１の実施形態において、バス配線群およびゲート線駆動回路ＧＤ１と、ゲート線駆動回路ＧＤ２および円弧状の配線群との位置を左右で入れ換えてもよい。第１信号線から第２信号線に折り返す信号線の数は、円弧状領域の形状、大きさ等に応じて、増減可能である。
【００２７】
次に、他の実施形態に係る表示装置について説明する。なお、以下に説明する他の実施形態において、前述した第１の実施形態と同一の部分には、同一の参照符号を付してその詳細な説明を省略し、第１の実施形態と異なる部分を中心に詳しく説明する。
【００２８】
（第２の実施形態）  
図４は、第２の実施形態に係るアクティブマトリクス型の表示装置の一構成例を概略的に示す平面図である。第２の実施形態によれば、各行の表示画素ＰＸに対して設けられたゲート線は、第１ゲート線ＧＡの一本のみとしている。また、複数の第２信号線ＳＢは、それぞれ表示部ＡＣＴの通常表示領域ＮＲ内で、第１信号線ＳＡと並行して延びた後、バス配線２２を介して折り返され、このバス配線２２から円弧状領域ＡＲ内に入り、円弧状領域ＡＲの下端側まで延びている。各第２信号線ＳＢの入力端は、配線２０を介して信号線駆動回路ＳＤ１に接続されている。第２信号線ＳＢの本数は、円弧状領域ＡＲの大きさに応じて適宜調整する。
【００２９】
ゲート線駆動回路ＧＤ１、ＧＤ２は、バス配線２２群および円弧状の配線２１群と干渉しない位置に、それぞれ配置されている。同様に、信号線駆動回路ＳＤ１、ＳＤ２は、バス配線２２群、円弧状の配線２１群、およびゲート線駆動回路ＧＤ１、ＧＤ２と干渉しない位置に設けられている。
【００３０】
図５は、表示画素ＰＸを拡大して概略的に示す図である。通常表示領域ＮＲ内に位置する複数の表示画素ＰＸにおいて、薄膜トランジスタ（ＴＦＴ）ＴＲは、第１ゲート線ＧＡ及び第１信号線ＳＡに電気的に接続されている。円弧状領域ＡＲ内に位置する複数の表示画素ＰＸにおいて、薄膜トランジスタＴＲは、第１ゲート線ＧＡ及び第２信号線ＳＢに電気的に接続されている。  
表示装置１０の他の構成は、第１の実施形態に係る表示装置と同一である。
【００３１】
第２の実施形態に係る液晶表示装置１０では、タイミングチャート、ゲート線の本数等について、従来と同等の構成にて対応することができる。例えば、図６に示すように、ゲート線駆動回路ＧＤ１、ＤＧ２は、１水平期間Ｈごとに第１ゲート線ＧＡにオン信号を順次出力し、１水平期間ごとに、通常表示領域ＮＲの表示画素ＰＸおよび円弧状領域ＡＲの表示画素ＰＸに映像信号を書き込むことができる。
【００３２】
以上のように構成された第２の実施形態に係る液晶表示装置１０によれば、複数の第２信号線は、表示部ＡＣＴを通った後、配線入力部の反対側の側縁に沿って設けられたバス配線２２を介して折り返し、再度、表示部ＡＣＴの円弧状領域ＡＲに入れ直すように構成されている。本構成を取ることにより、ゲート線駆動回路、信号線駆動回路を、バス配線群と干渉しない位置にレイアウトすることが可能となる。このように、配線群と駆動回路との干渉をなくすことにより、表示装置１０の額縁領域１４を拡大することなく、楕円形、オーバル形などの非矩形状、異形形状の表示部および表示装置を得ることができる。また、第２の実施形態によれば、通常の表示装置と同様の駆動信号および駆動タイミングにて駆動可能な表示装置とすることができる。
【００３３】
上述した第２の実施形態においても、表示部ＡＣＴおよび絶縁基板の形状は、オーバル形状に限定されることなく、楕円形、円形、あるいは、側縁の少なくとも一部が湾曲あるいは屈曲している形状であれば、種々の非矩形状を適用することができる。また、第２の実施形態において、バス配線群およびゲート線駆動回路ＧＤ１と、ゲート線駆動回路ＧＤ２および円弧状の配線群との位置を左右で入れ換えてもよい。バス配線の位置で折り返す第２信号線の数は、円弧状領域の形状、大きさ等に応じて、増減可能である。
【００３４】
上述した実施形態においては、表示装置の開示例として液晶表示装置を示したが、その他の適用例として、有機ＥＬ表示装置、その他の自発光型表示装置、或いは電気泳動素子等を有する電子ペーパー型表示装置等、あらゆるフラットパネル型の表示装置が挙げられる。また、表示装置は、中小型の表示装置から大型の表示装置まで、特に限定することなく上記実施形態と同様の構成を適用可能であることは言うまでもない。  
信号線駆動回路は、絶縁基板の額縁領域に形成する構成としたが、これに限らず、絶縁基板の外側に設けてもよい。この場合、信号線駆動回路は、フレキシブルプリント回路基板あるいは配線を介して、複数の信号線に電気的に接続される。
【００３５】
本発明の実施形態を説明したが、この実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００３６】
本発明の実施形態として上述した各構成を基にして、当業者が適宜設計変更して実施し得る全ての構成及び製造工程も、本発明の要旨を包含する限り、本発明の範囲に属する。また、上述した実施形態によりもたらされる他の作用効果について本明細書の記載から明らかなもの、又は当業者において適宜想到し得るものついては、当然に本発明によりもたらされるものと解される。
【符号の説明】
【００３７】
１０…表示装置、１２…絶縁基板、ＡＣＴ…表示部、ＰＸ…表示画素、  
ＮＲ…通常表示領域（第１領域）、ＡＲ…円弧状領域（第２領域）、  
１１ａ、１１ｂ…直線状側縁、１１ｃ、１１ｄ…円弧状側縁、１４…額縁領域、  
ＧＤ１、ＧＤ２…ゲート線駆動回路、ＳＤ１、ＳＤ２…信号線駆動回路、  
ＧＡ…第１ゲート線、ＧＢ…第２ゲート線、ＳＡ…第１信号線、ＳＢ…第２信号線、  
２０…配線、２１…円弧状の配線、２２…バス配線
【図１】
2016148775.tif 000003
【図２】
2016148775.tif 000004
【図３】
2016148775.tif 000005
【図４】
2016148775.tif 000006
【図５】
2016148775.tif 000007
【図６】
2016148775.tif 000008